(57)【特許請求の範囲】
【請求項１】
映像データの記録時又は再生時に異常状態を検出する異常検出部と、
前記映像データのタイムカウンタ値を取得するタイムカウンタ値取得部と、
前記異常状態に関する情報と、前記異常状態を検出した際の前記タイムカウンタ値とを対応付けて記録部に記録させる記録処理部と、
最後に検出された前記異常状態に関する情報のみを表示するための指示が入力される操作部と、
最後に検出された前記異常状態に関する情報のみを表示するための前記指示が前記操作入力部に入力されると、最後に検出された前記異常状態に関する情報と、これに対応する前記タイムカウンタ値とを前記記録部から取得して、表示部に表示するための表示処理を行う表示処理部と、
を備えることを特徴とする、電子機器。
【請求項２】
前記記録処理部は、前記異常状態を検出した際の時刻情報を前記異常状態に関する情報及び前記タイムカウンタ値に対応付けて記録させることを特徴とする、請求項１に記載の電子機器。
【請求項３】
映像データの記録時又は再生時に異常状態を検出する異常検出ステップと、
前記映像データのタイムカウンタ値を取得するタイムカウンタ値取得ステップと、
前記異常状態に関する情報と、前記異常状態を検出した際の前記タイムカウンタ値とを対応付けて記録する記録ステップと、
最後に検出された前記異常状態に関する情報のみを表示するための指示が入力される入力ステップと、
最後に検出された前記異常状態に関する情報のみを表示するための前記指示が入力されると、最後に発生した異常状態に関する情報と、これに対応する前記タイムカウンタ値とを読み出して、表示部に表示する表示ステップと、
を備えることを特徴とする、異常状態表示方法。
【請求項４】
前記記録ステップにおいて、前記異常状態を検出した際の時刻情報を前記異常状態に関する情報及び前記タイムカウンタ値に対応付けて記録し、
前記表示ステップにおいて、前記最後に発生した異常状態に関する情報及び前記タイムカウンタ値とともに、前記時刻情報を表示部に表示することを特徴とする、請求項３に記載の異常状態表示方法。
【発明の詳細な説明】
【技術分野】
【０００１】
本発明は、電子機器及び異常状態表示方法に関する。
【背景技術】
【０００２】
従来、例えば下記の特許文献１には、電子機器にエラーが発生した場合に、エラー内容と、そのエラーの発生の直前に行われた操作内容が記憶されたメモリのアドレスとを、エラー履歴記憶用メモリに記憶することが記載されている。
【０００３】
【特許文献１】特開平１１−２４９９２５号公報
【発明の開示】
【発明が解決しようとする課題】
【０００４】
電子機器に何らかの異常が発生した場合、アラームを表示してユーザに認識させることが考えられるが、正常状態に復帰した後はアラームが消されてしまう。このため、アラームが表示されたタイミングで表示画面を見ていないと、アラーム表示を見落としてしまうという問題がある。一方、アラーム表示の時間を長くすると、通常状態に復帰後もアラーム表示が行われてしまうため、操作性の面から問題がある。
【０００５】
また、映像データを記録再生する場合に異常が生じた場合、アラームを表示によって異常が発生したことは確認できるが、映像データのどの部分で異常が生じているか認識することができない。このため、アラームが通知された場合、記録した映像データを全て再生して、映像のどの部分に異常が生じているかを確認する必要があり、非常に煩雑な作業が必要となる。
【０００６】
そこで、本発明は、上記問題に鑑みてなされたものであり、本発明の目的とするところは、アラーム表示を見落とした場合であっても、アラームに関する情報を映像データと関連付けて確実に認識することが可能な、新規かつ改良された電子機器及び異常状態表示方法を提供することにある。
【課題を解決するための手段】
【０００７】
上記課題を解決するために、本発明のある観点によれば、映像データの記録時又は再生時に異常状態を検出する異常検出部と、前記映像データのタイムカウンタ値を取得するタイムカウンタ値取得部と、前記異常状態に関する情報と、前記異常状態を検出した際の前記タイムカウンタ値とを対応付けて記録部に記録させる記録処理部と、を備える電子機器が提供される。
【０００８】
上記構成によれば、映像データの記録時又は再生時に異常状態が検出され、映像データのタイムカウンタ値が取得される。そして、異常状態に関する情報と、異常状態を検出した際のタイムカウンタ値とが対応付けられて記録される。従って、異常状態をタイムカウンタ値とともに取得することが可能となり、映像のどの部分で異常が発生したかを認識することが可能となる。
【０００９】
また、最後に検出された前記異常状態に関する情報と、これに対応する前記タイムカウンタ値とを前記記録部から取得して、表示部に表示するための表示処理を行う表示処理部を更に備えるものであってもよい。かかる構成によれば、最後に検出された異常状態に関する情報と、これに対応するタイムカウンタ値とが表示されるため、表示に基づいて、最後に検出された異常をタイムカウンタ値とともに認識することが可能となる。
【００１０】
また、前記記録処理部は、前記異常状態を検出した際の時刻情報を前記異常状態に関する情報及び前記タイムカウンタ値に対応付けて記録させるものであってもよい。かかる構成によれば、異常状態を検出した際の時刻情報が、異常状態に関する情報及びタイムカウンタ値に対応付けて記録されるため、最後に検出された異常をタイムカウンタ値及び時刻情報とともに認識することが可能となる。
【００１１】
また、上記課題を解決するために、本発明の別の観点によれば、映像データの記録時又は再生時に異常状態を検出する異常検出ステップと、前記映像データのタイムカウンタ値を取得するタイムカウンタ値取得ステップと、前記異常状態に関する情報と、前記異常状態を検出した際の前記タイムカウンタ値とを対応付けて記録する記録ステップと、最後に検出された異常状態に関する情報と、これに対応する前記タイムカウンタ値とを読み出して、表示部に表示する表示ステップと、を備える異常状態表示方法が提供される。
【００１２】
上記構成によれば、映像データの記録時又は再生時に異常状態が検出され、映像データのタイムカウンタ値が取得される。異常状態に関する情報と、異常状態を検出した際のタイムカウンタ値とが対応付けられて記録される。そして、最後に検出された異常状態に関する情報と、これに対応するタイムカウンタ値とが読み出されて、表示部に表示される。従って、最後に検出された異常をタイムカウンタ値とともに認識することが可能となり、映像のどの部分で異常が発生したかを認識することが可能となる。
【００１３】
また、前記記録ステップにおいて、前記異常状態を検出した際の時刻情報を前記異常状態に関する情報及び前記タイムカウンタ値に対応付けて記録し、前記表示ステップにおいて、前記最後に発生した異常状態に関する情報及び前記タイムカウンタ値とともに、前記時刻情報を表示部に表示するものであってもよい。かかる構成によれば、最後に検出された異常をタイムカウンタ値及び時刻情報とともに認識することが可能となる。
【発明の効果】
【００１４】
本発明によれば、アラーム表示を見落とした場合であっても、アラームに関する情報を映像データと関連付けて確実に認識することが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の一実施形態に係る記録再生装置（電子機器）１の外観を斜視図により示している。この記録再生装置１は、例えばテレビ放送業者や番組作成業者等が、撮影現場などにおいて撮影した映像についての編集を行う用途を想定した、業務用のポータブルタイプ映像編集装置である。例えば記録メディアとして光ディスクが装填可能とされ、光ディスクに記録された映像データについての編集等を行うようにされる。なお、本実施形態に係る記録再生装置１は、図１のものに限定されるものではなく、光ディスクなどのメディアに記録再生処理を行う装置に幅広く適用できる。
【００１７】
この記録再生装置１には、図１のように光ディスクを装填するためのディスク装填部１２が設けられる。また、光ディスクから再生された映像等を表示するための表示部１０も設けられる。さらに、記録再生装置１に対して各種の情報入力や操作入力を行うための操作部１１として、各種の操作子（操作キーや操作ダイヤル等）が設けられる。
【００１８】
図２は、図１に示される記録再生装置１の内部構成を概略的に示したブロック図である。ディスク装填部１２には光ディスクＤが装填される。光ディスクＤとしては、例えばレーザ波長λ＝４０５nm、ＮＡ（開口数）＝０．６５による記録再生が行われ、記録膜としては相変化膜を有するようにされてデータの書き換えが可能とされる。記録容量としてはおよそ２３ＧＢ（ギガバイト）程度と、比較的大容量とされ、これによって業務用としての高解像度の映像にも対応できるようにされている。この光ディスクＤに対しては、主に映像データ（画像データ）が記録される。
【００１９】
ディスク装填部１２に装填された光ディスクＤに対する記録／再生は、記録／再生部６によって行われる。記録／再生部６に対しては、光ディスクＤに記録されたデータの記録／再生を行うための構成として、光学ヘッド、スピンドルモータ、サーボ回路、及び再生データを得るためのデコーダ、記録データ生成のためのエンコーダなどを備えて構成される。  装填された光ディスクＤより再生したデータは、記録／再生部６から映像信号処理部７に供給される。また光ディスクＤに対し記録すべきデータは、映像信号処理部７から記録／再生部６に入力される。
【００２０】
映像信号処理部７には、記録／再生部６により光ディスクＤから再生された映像データが入力されると共に、映像入力端子Ｔvinからの映像データ（音声データを含む場合がある）も入力可能とされる。また、映像信号処理部７には、映像の同期をとるための映像同期信号（基準信号）も入力される。映像信号処理部７は、入力される映像データについて各種の映像信号処理（画像信号処理）を行うようにされる。例えばビデオレベル調整処理、クロマレベル調整処理、セットアップレベル調整処理、クロマフェーズ（位相）調整処理、システムフェーズ調整処理、シンクフェーズ調整処理等を行う。映像信号処理部７は、後述するコントローラ２から各処理ごとに指示される設定値に基づき、上記各信号処理を実行する。
【００２１】
映像信号処理部７の出力は、映像出力端子Ｔvoutに供給されると共に、分岐してキャラクタ発生器８にも供給されるようになっている。キャラクタ発生器８は、入力映像データに対して自らが発生した文字やアイコン等のキャラクタを重畳することができるように構成される。例えば映像信号処理部７において行われる各種信号処理についての設定値をユーザが調整するためのＧＵＩ（Graphical User Interface）としてのキャラクタデータを生成するようにされる。キャラクタ発生器８は、背景に映像信号処理部７からの出力に基づく映像（画像）が表示され、その上にキャラクタが重ねられて表示されるように、キャラクタデータを重畳することができる。或いは、キャラクタのみが表示されるように画像データを生成することもできるようにされる。さらには、映像信号処理部７からの出力にキャラクタを重畳せずにそのまま出力することも可能とされる。キャラクタ発生器８は、それらの動作の切替を、コントローラ２からの指示に基づき行う。
【００２２】
キャラクタ発生器８からの出力データは、表示駆動部９に供給される。表示駆動部９は、例えば液晶ディスプレイなどとされる表示部１０を、キャラクタ発生器８からの入力データに基づき表示駆動する。これによって表示部１０上にキャラクタ発生器８からの出力（映像又は画像）に基づく表示が行われる。
【００２３】
コントローラ２は、ＣＰＵ（Central Processing Unit）、メモリ領域、インターフェース部等を備えたマイクロコンピュータにより構成され、起動されたプログラムに基づいて記録再生装置１の全体制御、演算処理を行う。例えば、操作部１１を用いた操作入力に応じた動作や、ディスク装填部１２に装填された光ディスクＤについての記録／再生動作、アクセス動作等を制御する。例えばユーザーが操作部１１により光ディスクＤに対する再生指示を行った場合、コントローラ３は記録／再生部６に光ディスクＤの再生を指示する。すると記録／再生部６は光ディスクＤについてのアクセス動作や再生処理動作を実行し、これによって得られた再生データを映像信号処理部７に対して供給するようにされる。映像信号処理部７に供給された再生データ（映像データ）は、必要に応じて映像信号処理が施された後、キャラクタ発生器８に供給される。このとき、通常再生時であれば、コントローラ２はキャラクタ発生器８に対して事前に映像データをそのまま出力する旨指示を行っておく。キャラクタ発生器８から出力された映像データは、表示駆動部９に供給され、この映像データに基づく表示部１０の駆動制御が行われる。これによって光ディスクＤから再生された映像データに基づく映像表示が行われるものとなる。
【００２４】
コントローラ２がアクセスするメモリとして、例えばＲＯＭ（Read Only Memory）３、ＲＡＭ（Random Access Memory）４、フラッシュメモリ５が備えられる。ＲＯＭ３には、コントローラ２の動作プログラム、プログラムローダー等が記憶される。ＲＡＭ４には、コントローラ２がプログラムを実行する上でのデータ領域、タスク領域が一時的に確保される。フラッシュメモリ５は、データの書き換えが可能で且つ電源オフ後も記録したデータが保持される不揮発性メモリである。フラッシュメモリ５には例えば各種演算係数、プログラムで用いるパラメータ等が記憶される。
【００２５】
端子１３は、例えば筐体内部に設けられる例えばＲＳ２３２Ｃ規格の接続端子であり、機器のメンテナンス、修理などの特別の作業で用いられる。端子１４は、インターネット等のネットワーク２０との接続を行うための端子を示している。なお、ネットワーク２０との接続は、端子１４に通信用ケーブルを接続することによる有線接続方式であっても良いが、端子１４に代えて無線通信ユニットを設け、無線接続方式でネットワーク２０との接続ができるようにしてもよい。
【００２６】
図３は、図１に示すコントローラ２とその周辺の構成を示す機能ブロック図である。図３において、入力信号処理回路１２０は図１の映像信号処理部７に対応し、映像記録・再生処理部１２４は図１の記録／再生部６に対応する。また、記録メディア１３０は、光ディスクＤに対応している。入力信号処理回路１２０には、記録／再生部６から映像データが入力されると共に、外部からから映像データ、映像同期信号が入力される。図３に示す、入力信号アラーム検出部１０４、アラーム表示管理部１０６などの各ブロックは、異常発生時に表示部１０上にアラーム（警告）を表示するための機能ブロックである。
【００２７】
先ず、本実施形態に係るラストアラーム表示について説明した後、図３の各ブロックについて説明する。図４〜図７は、本実施形態に係る記録再生装置１の表示部１０に表示される表示画面を説明するための模式図である。本実施形態に係る記録再生装置１は、何らかの異常を検知した場合に、表示部１０にその旨を表示して、ユーザーに対して異常の発生を通知する。
【００２８】
ここで、表示の対象となる異常状態とは、例えば、入力信号などの信号の異常に関係するもの、記録再生装置１の動作上の異常に関係するもの、ユーザーの操作入力に関係するもの等が挙げられる。信号の異常に関係するものとしては、例えば映像入力端子ＴvinへのＢＮＣケーブルの接続状態が不完全な場合に、通常では問題が生じないが、振動等が発生した場合に、これに起因して入力信号、映像同期信号に乱れが発生する場合、入力信号が無くなる場合などが挙げられる。記録再生装置１の動作上の異常に関係するものとしては、例えば光ディスクＤの記録容量が最大に達した後、更に録画を行う動作が成された場合、光ピックアップのサーボロックが外れた場合等が挙げられる。また、動作上の異常には、光ディスクＤの表面の傷、表面に付着したゴミ等によって記録再生信号が乱れた場合なども含まれる。また、ユーザーの操作入力に関係するものとしては、例えば光ディスクＤが挿入されていない状態で記録再生を行う操作をした場合、リモートモードの状態で操作パネルから操作をした場合などが挙げられる。
【００２９】
これらの異常は比較的軽微なものであり、記録再生装置１の使用が不能となるレベルのものではない。従って、本実施形態に係る記録再生装置１では、これらの軽微な異常が発生した場合は、所定のアラームを表示部に表示して、ユーザーに対して異常が発生したことを通知するようにしている。
【００３０】
図４及び図５は、表示部１０に表示されるアラーム通知画面を示す模式図である。ここで、図４（Ａ）は、アラームが発生した直後に、所定時間の間だけ表示部１０に表示される画面を示している。ここでは、映像入力端子Ｔvinにビデオ入力が入力されていない状態が表示されている（“INPUT VIDEO IS NOT DETECTED”）。例えば、映像入力端子Ｔvinへのコネクタの接続状態が不完全であり、振動等によって一時的に入力信号が入力されなかった場合に、図４（Ａ）に示す表示画面が表示される。
【００３１】
図４（Ａ）に示す表示画面は、アラームを一時的に通知するものであり、正常状態に戻った後、表示画面は通常の表示に復帰する。このため、ユーザーがアラーム表示を見逃した場合、ユーザーはアラームの対象となった異常を認知することができない。
【００３２】
このため、本実施形態に係る記録再生装置１では、図４（Ａ）に示すアラーム表示画面が表示されなくなった後、所定の操作を行うことで、最後に表示されたアラーム表示画面を表示できるようにしている。
【００３３】
図４（Ｂ）は、表示部１０に表示されるメニュー画面を示している。図４（Ｂ）に示すように、メニュー画面には、セットアップメニュー(SETUP MENU)、タイムカウンタ(TC)のプリセット画面(TC PRESET)などの各種メニューが表示され、最も下段には最後に表示されたアラーム（ラストアラーム）を表示するためのメニュー(LAST ALARM)が表示されている。最後に表示されたアラームを表示する際には、表示部１０に表示されているカーソル１０ａを“LAST ALARM”の表示位置に移動させ、リターンキー「→」を押す。
【００３４】
これにより、図５（Ａ）に示す表示画面が表示される。図５（Ａ）に示す表示画面は、最後に表示されたアラーム表示画面であり、図４（Ａ）のアラーム表示画面に対応している。このように、メニュー画面から操作することにより、ラストアラーム表示画面を再表示させることができる。
【００３５】
図５（Ａ）の表示画面において、操作部１１の操作ボタン１１ｂのキー「→」を操作すると、図５（Ｂ）に示す表示画面に切り換わる。図５（Ｂ）に示す表示画面は、ラストアラーム表示画面に対応する異常の詳細を示しており、異常の内容（入力信号が無い“NO INPUT!”）が示されている。
【００３６】
また、図５（Ｂ）に示すように、異常の内容“NO INPUT!”とともに、異常発生の日時“09/13 06:09:24”、タイムカウンタ（ＴＣ）の値“00:00:00:00”、現在の日時“2007/09/13 06:10:19”が表示される。これにより、ユーザは異常発生の日時とともに、異常発生時のタイムカウンタの値を認識することができる。例えば図４（Ａ）に示す異常が光ディスクＤに映像を記録している最中に発生した場合は、タイムカウンタの値を参照することにより、記録映像のどの部分で異常が発生したかを認識することができる。なお、図５（Ｂ）の表示画面から操作ボタン１１ｂのキー「←」を操作すると、図５（Ａ）に示す表示画面に戻ることができる。
【００３７】
図６は、他の異常が発生した場合の表示画面を示しており、標準状態は、異なる同期信号が使用された場合に表示されるアラーム（“A NON-STANDARD REF SIGNAL IS BEING
USED FOR REF VIDEO”）を示している。ここで、図６（Ａ）は異常発生時に表示されるアラーム画面を示しており、図６（Ｂ）はメニュー画面からの操作により表示したラストアラーム表示画面を示している。また、図６（Ｃ）は、図６（Ｂ）の表示画面から操作部１１の操作ボタン１１ｂのキー「→」を操作した状態を示しており、異常の内容“REF NON-STD”とともに、異常発生時の日時2“09/18 16:17:01”、タイムカウンタの値“01:00:33:24”、現在の日時“2007/09/18 16:19:27”を表示した状態を示している。
【００３８】
また、図７は、記録再生時に光ディスクＤに何らかの異常が発生した場合の表示画面を示しており、例えば記録中に光ディスクＤの表面に傷、ゴミ等により信号の乱れが検出された場合の表示画面を示している。ここで、図７（Ａ）は異常発生時に表示される画面を示しており、光ディスクＤの異常が検出されたことが表示される(“DISC ERROR DETECTED”)。図７（Ｂ）はメニュー画面からの操作により表示したラストアラーム表示画面を示している。また、図７（Ｃ）は、図７（Ｂ）の表示画面から操作部１１の操作ボタン１１ｂのキー「→」を操作した状態を示しており、異常の内容“Disc Error!”とともに、異常発生時の日時“09/18 16:23:01”、タイムカウンタの値“00:04:03:14”、現在の日時“2007/09/18 16:24:39”を表示した状態を示している。
【００３９】
次に、図３に基づいて、上述したラストアラーム表示を行うための構成について説明する。図３において、入力信号処理回路１２０は図１の映像信号処理部７に対応し、映像記録・再生処理部１２４は図２の記録／再生部６に対応する。また、記録メディア１３０は、光ディスクＤに対応している。入力信号処理回路１２０には、映像記録・再生処理部１２４から映像データが入力されると共に、映像入力端子Ｔvinから映像データが入力され、また映像同期信号が入力される。
【００４０】
図３に示すように、コントローラ２は、ＴＣ発生部１０２、入力信号アラーム検出部１０４、アラーム表示管理部１０６、アラーム表示部１０８、アラームメモリ１１０、ラストアラーム表示部１１２、動作モード決定部１１４を備えている。
【００４１】
ＴＣ発生部１０２は、入力信号処理回路１２０に入力された各フレームの映像信号（フレーム信号）に対して、フレーム信号に同期するようにタイムカウンタ値（ＴＣ）を付与する。また、入力された各フレームの映像信号にタイムカウンタ値が既に付与されている場合は、その値を取得する。ＴＣ発生部１０２は、タイムカウンタ値をアラーム表示管理部１０６に送る。
【００４２】
入力信号アラーム検出部１０４は、入力された映像入力信号、または映像同期信号に基づいて、これらの信号に異常が発生した場合は、その旨の情報（入力信号アラーム情報）をアラーム表示管理部１０６に送る。信号の異常としては、入力映像信号、入力同期信号の乱れ、またはこれらの入力信号が無くなった場合等が挙げられる。
【００４３】
また、映像記録・再生処理部１２４では、記録、再生時に何らかの異常が生じた場合は、その旨のアラーム情報をアラーム表示管理部１０６に通知する。例えば、記録中に光ディスクＤの記録容量がフルになった場合などに、アラーム情報がアラーム表示管理部１０６に通知される。アラーム表示管理部１０８は、記録再生に関するアラーム情報とタイムカウンタ値とを対応付けて、アラーム表示部１０８及びアラームメモリ１１０へ送る。
【００４４】
また、動作モード決定部１１４は、操作部１１から入力された入力と、映像記録・再生処理部１２４における処理内容とに基づいて、記録再生装置１の動作モードを決定する。このとき、動作モードに異常が生じている場合は、その旨のアラーム情報をアラーム表示管理部１０６に通知する。例えばディスク装填部１２に光ディスクＤが装填されていない状態で、記録再生を行う旨の指示が操作部１１から入力された場合は、その旨のアラーム情報をアラーム表示管理部１０６に通知する。アラーム表示管理部１０８は、動作に関するアラームとタイムカウンタ値とを対応付けて、アラーム表示部１０８及びアラームメモリ１１０へ送る。このように、映像記録・再生処理部１２４、および動作モード決定部１１４は、入力信号アラーム検出部１０４と同様に異常を検出するための異常検出部として機能する。
【００４５】
アラーム表示管理部１０８は、常時アラーム情報の発生を監視している。アラーム表示管理部１０８は、アラーム情報を受けた場合、アラーム情報と、アラーム情報に対応する時刻及びタイムカウンタ値とを対応付けて、アラーム表示部１０８及びアラームメモリ１１０へ送る。ここで、タイムカウンタ値はＴＣ発生部１０２から入力された値を用いる。また、時刻はコントローラが備えるクロックから取得される。
【００４６】
より詳細には、アラーム表示管理部１０８は、アラームが発生した場合、アラーム内容をアラームコード(ALARM CODE)とし、発生時刻(DATE)と発生時のタイムカウンタ値(TC)、表示時間をアラーム表示部１０８に送り、ALARM CODE/DATE/TCの１組のデータをアラームメモリ１１０に蓄える。複数のアラームが同時に発生した場合は、予めプログラム上で定められた優先度の高いアラームを採用する。
【００４７】
アラーム表示部１０８は、図４（Ａ）、図６（Ａ）及び図７（Ａ）に示したアラーム表示を行うための指令を出すブロックであり、入力信号アラーム検出部１０４からのアラーム情報を受けて、キャラクタ発生器８にアラームを表示する旨を指令を通知する。アラーム表示部１０８は、ALARM CODEに従った表示内容を指定された表示時間だけ表示する。なお、説明の便宜上、図２ではキャラクタ発生器８、表示駆動部９の図示を省略している。
【００４８】
アラームメモリ１１０は、例えば図２のＲＡＭ４によって構成され、アラーム情報と、アラーム情報に対応する時刻及びタイムカウンタ値を記憶する。アラームメモリ１１０は、複数のアラーム情報を記憶可能であり、本実施形態では、ALARM CODE/DATE/TCを１組として１００組保全することが可能である。
【００４９】
ラストアラーム表示部１１２は、操作部１１から送られたラストアラームを表示するための指示に基づいて、ラストアラーム表示画面を表示する処理を行う。具体的には、図４（Ｂ）で説明したようにカーソル１０ａが“LAST ALARM”の表示上にある状態で操作部１１の操作ボタン１１ｂのキー「→」が操作されると、ラストアラーム表示部１１２は、アラームメモリ１１０に記録されたアラーム情報のうち、最後に発生したアラームをラストアラーム情報として取得し、ラストアラーム表示を行うための指令をキャラクタ発生器８に通知する。なお、図４（Ｂ）に示すメニュー画面は、操作ボタン１１ａ（メニューボタン）を押すと表示される。
【００５０】
以上説明したように本実施形態の記録再生装置１では、記録再生装置１に何らかの異常が発生した場合、アラーム情報と、異常発生時刻及びタイムカウンタ値とが対応付けられてアラームメモリ１１０に記憶される。そして、ユーザがメニュー画面からラストアラーム表示を行う旨を入力した場合は、最後に発生したアラーム情報と、対応する時刻及びタイムカウンタ値とが表示部１０に表示される。従って、ユーザは、アラーム表示を見逃した場合であっても、最後に発生したアラームに関する情報を確実に取得することができる。また、アラーム情報とともにタイムカウンタ値を表示するようにしたため、映像のどの部分でアラーム情報が発生したかを確実に認識することが可能となる。
【００５１】
なお、本実施形態では、アラームメモリに記憶されているアラーム情報のうち、最後に発生したアラームに関する情報を表示しているが、最後に発生したアラーム以外の情報を共に表示してもよい。例えば、過去に発生したアラームのうち、直近の複数のアラームに関する情報を共に表示してもよい。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５３】
【図１】本発明の一実施形態に係る記録再生装置の外観を示す斜視図である。
【図２】図１に示される記録再生装置の内部構成を概略的に示したブロック図である。
【図３】図１に示すコントローラとその周辺の構成を示す機能ブロック図である。
【図４】本実施形態に係る記録再生装置の表示部に表示される表示画面を説明するための模式図である。
【図５】本実施形態に係る記録再生装置の表示部に表示される表示画面を説明するための模式図である。
【図６】本実施形態に係る記録再生装置の表示部に表示される表示画面を説明するための模式図である。
【図７】本実施形態に係る記録再生装置の表示部に表示される表示画面を説明するための模式図である。
【符号の説明】
【００５４】
１    記録再生装置
１０２    ＴＣ発生部
１０４    入力信号アラーム検出部
１０６    アラーム表示管理部
１１２    ＬＡＳＴアラーム表示部
【図１】
0005088080.tif 000002
【図２】
0005088080.tif 000003
【図３】
0005088080.tif 000004
【図４】
0005088080.tif 000005
【図５】
0005088080.tif 000006
【図６】
0005088080.tif 000007
【図７】
0005088080.tif 000008